(57)【特許請求の範囲】
【請求項１】
複数種類のビデオリファレンスが入力されるビデオリファレンス入力部と、
各々の上記ビデオリファレンスに対応したビデオフォーマットのビデオ信号が入力される複数のビデオ信号入力部と、
上記ビデオリファレンス入力部から入力される各々のビデオリファレンスから同期信号を生成する複数の同期信号生成部と、
上記同期信号生成部により生成された同期信号に同期して、上記ビデオ信号に対して信号処理を施す信号処理部と、
上記同期信号生成部により生成された同期信号に同期して、上記ビデオ信号に対して出力処理を行うビデオ信号出力処理部と、
上記複数の同期信号生成部により生成される各同期信号に同期して、各々の上記ビデオ信号入力部に入力されたビデオ信号と、上記信号処理部により信号処理が施されたビデオ信号とを、上記信号処理部又は上記ビデオ信号出力処理部に供給する供給先の切り換えを行う切換部と、
上記切換部によって切り換えられる接続関係を制御する制御部とを備え、
上記制御部は、
上記信号処理部に供給させるビデオ信号のフォーマットに対応するビデオリファレンスから生成される同期信号に同期して、このビデオ信号に信号処理を施すように、この信号処理部を制御し、
上記ビデオ信号出力処理部に供給させるビデオ信号のフォーマットに対応するビデオリファレンスから生成される同期信号に同期して、このビデオ信号を出力するように、このビデオ信号出力処理部を制御する信号切換装置。
【請求項２】
上記複数の同期信号生成部により生成される２種類の同期信号に同期して動作し、上記切換部を介して一方のビデオフォーマットのビデオ信号が入力されて、この入力された一方のビデオフォーマットのビデオ信号を他方のビデオフォーマットのビデオ信号に変換するフォーマット変換部を更に備え、
上記切換部は、各々の上記ビデオ信号入力部に入力されたビデオ信号と、上記信号処理部により信号処理が施されたビデオ信号と、上記フォーマット変換部により変換されたビデオ信号とを、上記信号処理部又は上記フォーマット変換部又は上記ビデオ信号出力処理部とに供給する供給先の切り換えを行い、
上記制御部は、上記一方のビデオフォーマットと上記他方のビデオフォーマットとにそれぞれ対応するビデオリファレンスから生成される同期信号に同期して、上記ビデオ信号のビデオフォーマットを変換するように、このフォーマット変換部を制御する請求項１記載の信号切換装置。
【請求項３】
上記ビデオ信号入力部と上記信号処理部と上記ビデオ信号出力処理部と上記フォーマット変換部とが、上記切換部によって切り換えられて接続される接続関係において、上記切換部を介してビデオ信号が供給される上記フォーマット変換部の接続数が２つ以上設定されているとき、これらのフォーマット変換部と上記信号処理部との接続関係を解析することにより、設定された接続関係と同一の信号処理を設定された接続数以下の上記フォーマット変換部を用いて行う接続関係を取得する解析部とを更に備え、
上記制御部は、上記解析部により取得された接続関係となるように上記切換部を制御する請求項２記載の信号切換装置。
【請求項４】
ビデオリファレンス入力部により複数種類のビデオリファレンスを入力し、
複数のビデオ信号入力部により、各々の上記ビデオリファレンスに対応したビデオフォーマットのビデオ信号を入力し、
複数の同期信号生成部により、上記ビデオリファレンス入力部から入力される各々のビデオリファレンスから同期信号を生成し、
信号処理部により、上記同期信号生成部により生成された同期信号に同期して、上記ビデオ信号に対して信号処理を施し、
ビデオ信号出力処理部により、上記同期信号生成部により生成された同期信号に同期して、上記ビデオ信号に対して出力処理を行い、
切換部により、上記複数の同期信号生成部により生成される各同期信号に同期して、各々の上記ビデオ信号入力部に入力されたビデオ信号と、上記信号処理部により信号処理が施されたビデオ信号とを、上記信号処理部又は上記ビデオ信号出力処理部に供給する供給先の切り換えを行い、
上記信号処理部に供給させるビデオ信号のフォーマットに対応するビデオリファレンスから生成される同期信号に同期して、このビデオ信号に信号処理を施すように、この信号処理部を制御し、
上記ビデオ信号出力処理部に供給させるビデオ信号のフォーマットに対応するビデオリファレンスから生成される同期信号に同期して、このビデオ信号を出力するように、このビデオ信号出力処理部を制御する信号切換装置の制御方法。
【請求項５】
ビデオリファレンス入力部により複数種類のビデオリファレンスを入力し、
複数の同期信号生成部により、上記ビデオリファレンス入力部から入力される各々のビデオリファレンスから同期信号を生成し、
複数のビデオ信号入力部により、各々の上記ビデオリファレンスに対応したビデオフォーマットのビデオ信号を入力し、
信号処理部により、上記同期信号生成部により生成された同期信号に同期して、上記ビデオ信号に対して信号処理を施し、
ビデオ信号出力処理部により、上記同期信号生成部により生成された同期信号に同期して、上記ビデオ信号に対して出力処理を行い、
切換部により、上記複数の同期信号生成部により生成される各同期信号に同期して、各々の上記ビデオ信号入力部に入力されたビデオ信号と、上記信号処理部により信号処理が施されたビデオ信号とを、上記信号処理部又は上記ビデオ信号出力処理部に供給する供給先の切り換えを行い、
上記信号処理部に供給させるビデオ信号のフォーマットに対応するビデオリファレンスから生成される同期信号に同期して、このビデオ信号に信号処理を施すように、この信号処理部を制御し、
上記ビデオ信号出力処理部に供給させるビデオ信号のフォーマットに対応するビデオリファレンスから生成される同期信号に同期して、このビデオ信号を出力するように、このビデオ信号出力処理部を制御する信号切換装置の制御処理をコンピュータにより実行するためのプログラム。
【請求項６】
ビデオリファレンス入力部により複数種類のビデオリファレンスを入力し、
複数の同期信号生成部により、上記ビデオリファレンス入力部から入力される各々のビデオリファレンスから同期信号を生成し、
複数のビデオ信号入力部により、各々の上記ビデオリファレンスに対応したビデオフォーマットのビデオ信号を入力し、
信号処理部により、上記同期信号生成部により生成された同期信号に同期して、上記ビデオ信号に対して信号処理を施し、
ビデオ信号出力処理部により、上記同期信号生成部により生成された同期信号に同期して、上記ビデオ信号に対して出力処理を行い、
切換部により、上記複数の同期信号生成部により生成される各同期信号に同期して、各々の上記ビデオ信号入力部に入力されたビデオ信号と、上記信号処理部により信号処理が施されたビデオ信号とを、上記信号処理部又は上記ビデオ信号出力処理部に供給する供給先の切り換えを行い、
上記信号処理部に供給させるビデオ信号のフォーマットに対応するビデオリファレンスから生成される同期信号に同期して、このビデオ信号に信号処理を施すように、この信号処理部を制御し、
上記ビデオ信号出力処理部に供給させるビデオ信号のフォーマットに対応するビデオリファレンスから生成される同期信号に同期して、このビデオ信号を出力するように、このビデオ信号出力処理部を制御する信号切換装置の制御処理をコンピュータにより実行するためのプログラムを記録した記録媒体。
【発明の詳細な説明】
【技術分野】
【０００１】
本発明は、入力される複数のビデオ信号を切換部により切り換えて出力する信号切換装置、この信号切換装置の制御方法、プログラム、及び、記録媒体に関する。
【背景技術】
【０００２】
放送局において番組の放送や収録などを行う場合には、スタジオ内や中継現場などに配置された多数のビデオカメラからのビデオ信号や、ＶＴＲで再生したビデオ信号などを、スイッチャーと呼ばれる信号切換装置に入力させ、どの入力信号をどの機器に出力するかをこのスイッチャーによって切り換えている。
【０００３】
このようなスイッチャーには、単にビデオ信号の入出力先を切り換えるルーティングスイッチャ（特許文献１）の他に、入力されたビデオ信号に信号処理を施してから出力する信号処理機能を内蔵したものがある。
【０００４】
信号処理機能を内蔵した従来のスイッチャーは、システム全体が１つのビデオリファレンスに同期した１つのビデオフォーマットで信号処理を行っている。このため、このスイッチャーでは、ビデオフォーマットが互いに異なるビデオ信号を入出力する場合、入力部の前段及び出力部の後段に、ビデオフォーマットを変換するフォーマットコンバータを設ける必要があった。
【０００５】
【特許文献１】特開２００７―１３５０７９号公報
【発明の開示】
【発明が解決しようとする課題】
【０００６】
上述したように、信号処理機能を内蔵した従来のスイッチャーでは、システム全体が１つのビデオリファレンスに同期して動作するので、２つ以上のビデオフォーマットのビデオ信号に対して同時に信号処理を施すには、スイッチャーを複数台用いなければならなかった。また、この従来のスイッチャーでは、ビデオフォーマット毎に切換ながらビデオ信号に対する信号処理を行う場合、ビデオフォーマットの切換に応じて、別途接続するフォーマットコンバータの接続位置を変更する必要があり、ユーザにとって煩わしいという問題がある。
【０００７】
本発明は、このような実情に鑑みて提案されたものであり、システム規模の増大を抑えユーザにとって利便性の高い作業環境を提供しつつ、同時に複数のビデオフォーマットで信号処理を施すことが可能なビデオ信号の入出力を行う信号切換装置、この信号切換装置の制御方法、プログラム、及び、記録媒体を提供することを目的とする。
【課題を解決するための手段】
【０００８】
上述した課題を解決するための手段として、本発明に係る信号切換装置は、複数種類のビデオリファレンスが入力されるビデオリファレンス入力部と、各々のビデオリファレンスに対応したビデオフォーマットのビデオ信号が入力される複数のビデオ信号入力部と、ビデオリファレンス入力部から入力される各々のビデオリファレンスから同期信号を生成する複数の同期信号生成部と、同期信号生成部により生成された同期信号に同期して、ビデオ信号に対して信号処理を施す信号処理部と、同期信号生成部により生成された同期信号に同期して、ビデオ信号に対して出力処理を行うビデオ信号出力処理部と、複数の同期信号生成部により生成される各同期信号に同期して、各々のビデオ信号入力部に入力されたビデオ信号と、信号処理部により信号処理が施されたビデオ信号とを、信号処理部又はビデオ信号出力処理部に供給する供給先の切り換えを行う切換部と、切換部によって切り換えられる接続関係を制御する制御部とを備え、制御部は、信号処理部に供給させるビデオ信号のフォーマットに対応するビデオリファレンスから生成される同期信号に同期して、このビデオ信号に信号処理を施すように、この信号処理部を制御し、ビデオ信号出力処理部に供給させるビデオ信号のフォーマットに対応するビデオリファレンスから生成される同期信号に同期して、このビデオ信号を出力するように、このビデオ信号出力処理部を制御する。
【０００９】
また、本発明に係る信号切換装置の制御方法は、ビデオリファレンス入力部により複数種類のビデオリファレンスを入力し、複数の同期信号生成部により、ビデオリファレンス入力部から入力される各々のビデオリファレンスから同期信号を生成し、複数のビデオ信号入力部により、各々のビデオリファレンスに対応したビデオフォーマットのビデオ信号を入力し、信号処理部により、同期信号生成部により生成された同期信号に同期して、ビデオ信号に対して信号処理を施し、ビデオ信号出力処理部により、同期信号生成部により生成された同期信号に同期して、ビデオ信号に対して出力処理を行い、切換部により、複数の同期信号生成部により生成される各同期信号に同期して、各々のビデオ信号入力部に入力されたビデオ信号と、信号処理部により信号処理が施されたビデオ信号とを、信号処理部又はビデオ信号出力処理部に供給する供給先の切り換えを行い、信号処理部に供給させるビデオ信号のフォーマットに対応するビデオリファレンスから生成される同期信号に同期して、このビデオ信号に信号処理を施すように、この信号処理部を制御し、ビデオ信号出力処理部に供給させるビデオ信号のフォーマットに対応するビデオリファレンスから生成される同期信号に同期して、このビデオ信号を出力するように、このビデオ信号出力処理部を制御する。
また、本発明に係るプログラムは、ビデオリファレンス入力部により複数種類のビデオリファレンスを入力し、複数の同期信号生成部により、ビデオリファレンス入力部から入力される各々のビデオリファレンスから同期信号を生成し、複数のビデオ信号入力部により、各々のビデオリファレンスに対応したビデオフォーマットのビデオ信号を入力し、信号処理部により、同期信号生成部により生成された同期信号に同期して、ビデオ信号に対して信号処理を施し、ビデオ信号出力処理部により、同期信号生成部により生成された同期信号に同期して、ビデオ信号に対して出力処理を行い、切換部により、複数の同期信号生成部により生成される各同期信号に同期して、各々のビデオ信号入力部に入力されたビデオ信号と、信号処理部により信号処理が施されたビデオ信号とを、信号処理部又はビデオ信号出力処理部に供給する供給先の切り換えを行い、信号処理部に供給させるビデオ信号のフォーマットに対応するビデオリファレンスから生成される同期信号に同期して、このビデオ信号に信号処理を施すように、この信号処理部を制御し、ビデオ信号出力処理部に供給させるビデオ信号のフォーマットに対応するビデオリファレンスから生成される同期信号に同期して、このビデオ信号を出力するように、このビデオ信号出力処理部を制御する信号切換装置の制御処理をコンピュータにより実行するためのプログラムである。
また、本発明に係る記録媒体は、ビデオリファレンス入力部により複数種類のビデオリファレンスを入力し、複数の同期信号生成部により、ビデオリファレンス入力部から入力される各々のビデオリファレンスから同期信号を生成し、複数のビデオ信号入力部により、各々のビデオリファレンスに対応したビデオフォーマットのビデオ信号を入力し、信号処理部により、同期信号生成部により生成された同期信号に同期して、ビデオ信号に対して信号処理を施し、ビデオ信号出力処理部により、同期信号生成部により生成された同期信号に同期して、ビデオ信号に対して出力処理を行い、切換部により、複数の同期信号生成部により生成される各同期信号に同期して、各々のビデオ信号入力部に入力されたビデオ信号と、信号処理部により信号処理が施されたビデオ信号とを、信号処理部又はビデオ信号出力処理部に供給する供給先の切り換えを行い、信号処理部に供給させるビデオ信号のフォーマットに対応するビデオリファレンスから生成される同期信号に同期して、このビデオ信号に信号処理を施すように、この信号処理部を制御し、ビデオ信号出力処理部に供給させるビデオ信号のフォーマットに対応するビデオリファレンスから生成される同期信号に同期して、このビデオ信号を出力するように、このビデオ信号出力処理部を制御する信号切換装置の制御処理をコンピュータにより実行するためのプログラムを記録した記録媒体である。
【発明の効果】
【００１０】
本発明は、信号処理部に供給させるビデオ信号のフォーマットに対応するビデオリファレンスから生成される同期信号に同期して、信号処理部がビデオ信号に対して信号処理を施し、ビデオ信号出力処理部に供給させるビデオ信号のフォーマットに対応するビデオリファレンスから生成される同期信号に同期して、ビデオ信号出力処理部がビデオ信号を出力するので、システム規模の増大を抑えユーザにとって利便性の高い作業環境を提供しつつ、同時に複数のビデオフォーマットで信号処理を施してビデオ信号の入出力を行うことができる。
【発明を実施するための最良の形態】
【００１１】
以下、本発明を実施するための最良の形態について、図面を参照しながら詳細に説明する。本発明が適用された信号切換装置は、入力される複数のビデオ信号を切換部により切り換えて出力する装置である。
【００１２】
＜第１の実施例＞
まず、第１の実施例として、図１に示すようなスイッチャー１を用いて、本発明を実施するための形態について説明する。
【００１３】
スイッチャー１は、同時に複数のビデオフォーマットで信号処理を施すことが可能なビデオ信号の入出力を行う信号切換装置である。具体的に、スイッチャー１では、複数種類のビデオフォーマットの一例として、フレームレートが５０［Ｈｚ］の有効走査線が７２０本のプログレッシブ形式（以下、ビデオフォーマット７２０ｐ／５０という。）と、フレームレートが５９．９４［Ｈｚ］の有効走査線が１０８０本のインターレース形式（以下、ビデオフォーマット１０８０ｉ／５９．９４という。）との２種類のビデオフォーマットに対応するビデオ信号の入出力を行うものとする。なお、図１では、点線でビデオフォーマット１０８０ｉ／５９．９４のビデオ信号の流れを示し、破線でビデオフォーマット７２０ｐ／５０のビデオ信号の流れを示している。
【００１４】
すなわち、このような２種類のビデオフォーマットのビデオ信号を取り扱うため、スイッチャー１は、ビデオリファレンス入力部１１と、４つのビデオ信号入力部１２１〜１２４と、２つの信号処理部１３１、１３２と、２つのビデオ信号出力処理部１４１、１４２と、切換処理部１５と、制御部１６とを備える。
【００１５】
また、このスイッチャー１には、次のようなコントロールパネル１７ａ、１７ｂが接続される。すなわち、コントロールパネル１７ａ、１７ｂは、それぞれ、どの処理部とどの処理部とを、切換処理部１５の接続点を介して接続するかを示すクロスポイント設定情報と、各処理部に対してどのような処理を行わせるかを示す処理設定情報とが、ユーザによって設定される。コントロールパネル１７ａ、１７ｂは、設定された各設定情報を制御部１６に供給する。なお、コントロールパネル１７ａは、ビデオフォーマット１０８０ｉ／５９．９４のビデオ信号に関する設定情報を入力し、コントロールパネル１７ｂは、ビデオフォーマット７２０ｐ／５０のビデオ信号に関する設定情報を入力するものとする。また、コントロールパネル１７ａ、１７ｂを総称した場合、便宜上コントロールパネル１７と呼ぶものとする。
【００１６】
ビデオリファレンス入力部１１は、複数種類のビデオリファレンスが外部から入力される。具体的に、ビデオリファレンス入力部１１は、ビデオフォーマット７２０ｐ／５０、１０８０ｉ／５９．９４にそれぞれ対応するビデオリファレンスが入力され、これらの入力されたビデオリファレンスを、信号処理部１３１、１３２、ビデオ信号出力処理部１４１、１４２及び、切換処理部１５に供給する。
【００１７】
ビデオ信号入力部１２１〜１２４は、それぞれビデオリファレンス入力部１１に入力されるビデオリファレンスに対応したビデオフォーマットのビデオ信号が入力される。
【００１８】
具体的に、スイッチャー１では、図１に示すように、ビデオ信号入力部１２１〜１２４に、ビデオ信号として、２種類のビデオフォーマットのＳＤＩ（Serial Digital Interface）信号が入力され、入力したＳＤＩ信号をスイッチャー１内の各部で差動伝送するための機器内信号に変換して切換処理部１５に供給する。
【００１９】
すなわち、ビデオ信号入力部１２１、１２３は、それぞれ、ビデオフォーマット１０８０ｉ／５９．９４のＳＤＩ信号のビデオ信号Ｖ１、Ｖ２が入力され、入力されたＳＤＩ信号のビデオ信号を機器内信号のビデオ信号に変換して切換処理部１５に供給する。また、ビデオ信号入力部１２２、１２４は、それぞれ、ビデオフォーマット７２０ｐ／５０のＳＤＩ信号のビデオ信号Ｖ３、Ｖ４が入力され、入力されたＳＤＩ信号のビデオ信号を機器内信号のビデオ信号に変換して切換処理部１５に供給する。
【００２０】
信号処理部１３１、１３２は、それぞれ切換処理部１５を介して入力されるビデオ信号に対して信号処理を施して切換処理部１５に再入力する処理を行う。
【００２１】
具体的に、信号処理部１３１は、ビデオリファレンス入力部１１から供給されるビデオリファレンスから同期信号を生成するシグナルジェネレータ１３１ａを有している。信号処理部１３１は、このシグナルジェネレータ１３１ａにより生成した同期信号に同期して、例えば１つのビデオ信号の画像を加工する編集処理や、複数の同じビデオフォーマットのビデオ信号を合成する合成処理などの編集処理を施す。
【００２２】
同様に、信号処理部１３２は、ビデオリファレンス入力部１１から供給されるビデオリファレンスから同期信号を生成するシグナルジェネレータ１３２ａを有している。信号処理部１３２は、このシグナルジェネレータ１３２ａにより生成した同期信号に同期して、１つのビデオ信号の画像を加工する編集処理や、同一のビデオフォーマットの複数のビデオ信号を合成する合成処理などの編集処理を施す。
【００２３】
ビデオ信号出力処理部１４１、１４２は、それぞれ切換処理部１５を介して入力されるビデオ信号に対して具体的には次のような出力用の処理を施す。
【００２４】
具体的に、ビデオ信号出力処理部１４１は、ビデオリファレンス入力部１１から供給されるビデオリファレンスから同期信号を生成するシグナルジェネレータ１４１ａを有している。ビデオ信号出力処理部１４１は、このシグナルジェネレータ１４１ａにより生成した同期信号に同期して、例えば、出力用の処理として画像に対してセーフタイトルやスーパーインポーズなどの文字情報を付加する編集処理を施す。
【００２５】
また、ビデオ信号出力処理部１４１には、この後段に機器内信号のビデオ信号をＳＤＩ信号のビデオ信号に変換して外部へ出力する出力部１４１ｂが設けられている。出力部１４１ｂは、ビデオ信号出力処理部１４１によって編集処理済みの機器内信号をＳＤＩ信号に変換して外部へ出力する。
【００２６】
同様に、ビデオ信号出力処理部１４２は、ビデオリファレンス入力部１１から供給されるビデオリファレンスから同期信号を生成するシグナルジェネレータ１４２ａを有している。ビデオ信号出力処理部１４２は、このシグナルジェネレータ１４２ａにより生成した同期信号に同期して、例えば、出力用の処理として画像に対してセーフタイトルやスーパーインポーズなどの文字情報を付加する編集処理を施す。
【００２７】
また、ビデオ信号出力処理部１４２は、この後段に機器内信号のビデオ信号をＳＤＩ信号のビデオ信号に変換して外部へ出力する出力部１４２ｂを設けている。出力部１４１ｂは、ビデオ信号出力処理部１４２によって編集処理済みの機器内信号をＳＤＩ信号に変換して外部へ出力する。
【００２８】
切換処理部１５は、ビデオ信号入力部１２１〜１２４及び信号処理部１３１、１３２からそれぞれ機器内信号が入力され、入力された各ビデオ信号を、信号処理部１３１、１３２及び出力処理部１４１、１４２に供給する供給先の切り換えを行う。
【００２９】
具体的に、切換処理部１５は、ビデオリファレンス入力部１１から入力される２種類のビデオリファレンス１０８０ｉ／５９．９４、７２０ｐ／５０から、それぞれ同期信号を生成する２つのシグナルジェネレータ１５ａ、１５ｂを有している。切換処理部１５は、これらのシグナルジェネレータ１５ａ、１５ｂにより生成される各同期信号に同期して、２つのビデオフォーマット１０８０ｉ／５９．９４、７２０ｐ／５０にそれぞれ対応して、上述した各処理部間の接続を行う。
【００３０】
制御部１６は、コントロールパネル１７ａ、１７ｂにより設定された各設定情報に従って、切換処理部１５に接続された各処理部のうち、どの処理部をどの処理部に接続するかを制御するとともに、次のように各処理部の動作を制御する。
【００３１】
本実施例においては、信号処理部１３１、１３２によりそれぞれビデオフォーマット１０８０ｉ／５９．９４、７２０ｐ／５０のビデオ信号に対して画像処理を施して、ビデオ信号出力処理部１４１、１４２によりそれぞれビデオフォーマット１０８０ｉ／５９．９４、７２０ｐ／５０のビデオ信号を外部に出力する具体例を挙げて、制御部１６が行う処理について説明する。
【００３２】
制御部１６は、ビデオフォーマット１０８０ｉ／５９．９４のビデオ信号に対する入出力を制御するため、ビデオ信号入力部１２１、１２３及び信号処理部１３１から切換処理部１５に入力されるビデオ信号を、コントロールパネル１７ａによる設定に従って、それぞれ信号処理部１３１及びビデオ信号出力処理部１４１に供給するように、切換処理部１５を制御する。
【００３３】
さらに、制御部１６は、切換処理部１５を介して信号処理部１３１に供給されるビデオ信号のビデオフォーマット１０８０ｉ／５９．９４に対応するビデオリファレンスから同期信号を生成するように、信号処理部１３１が有するシグナルジェネレータ１３１ａを制御する。同様にして、制御部１６は、切換処理部１５を介してビデオ信号出力処理部１４１に供給されるビデオ信号のビデオフォーマット１０８０ｉ／５９．９４に対応するビデオリファレンスから同期信号を生成するように、ビデオ信号出力処理部１４１が有するシグナルジェネレータ１４１ａを制御する。
【００３４】
また、制御部１６は、ビデオフォーマット７２０ｐ／５０のビデオ信号に対する入出力を制御するため、ビデオ信号入力部１２２、１２４及び信号処理部１３２から入力されるビデオ信号を、コントロールパネル１７ｂによる設定に従って、それぞれ信号処理部１３２及びビデオ信号出力処理部１４２に供給するように、切換処理部１５を制御する。
【００３５】
制御部１６は、切換処理部１５を介して信号処理部１３２に供給されるビデオ信号のビデオフォーマット７２０ｐ／５０に対応するビデオリファレンスから同期信号を生成するように、信号処理部１３２が有するシグナルジェネレータ１３２ａを制御する。同様にして、制御部１６は、切換処理部１５を介してビデオ信号出力処理部１４２に供給されるビデオ信号のビデオフォーマット７２０ｐ／５０に対応するビデオリファレンスから同期信号を生成するように、ビデオ信号出力処理部１４２が有するシグナルジェネレータ１４２ａを制御する。
【００３６】
以上のような構成を有するスイッチャー１では、切換処理部１５を介して信号処理部１３１、１３２に供給させるビデオ信号のフォーマットに対応するビデオリファレンスから生成される同期信号に同期して、信号処理部１３１、１３２がビデオ信号に対して信号処理を施す。また、スイッチャー１では、切換処理部１５を介してビデオ信号出力処理部１４１、１４２に供給させるビデオ信号のフォーマットに対応するビデオリファレンスから生成される同期信号に同期して、ビデオ信号出力処理部１４１、１４２がビデオ信号を出力する。
【００３７】
このようにしてスイッチャー１では、各処理部毎に任意のビデオフォーマットを選択して、選択したビデオフォーマットに対応する同期信号に同期して各処理部が動作するので、システム規模の増大を抑えユーザにとって利便性の高い作業環境を提供しつつ、同時に複数のビデオフォーマットで信号処理を施してビデオ信号の入出力を行うことができる。
【００３８】
なお、スイッチャー１では、同様のビデオリファレンスから同期信号を生成するシグナルジェネレータを共通化して、各々のビデオリファレンス毎に共通化した複数のシグナルジェネレータから、各処理部の処理対象となるビデオ信号のビデオフォーマットに対応する同期信号を生成するシグナルジェネレータを選択して用いるようにしてもよい。
【００３９】
すなわち、スイッチャー１では、同様のビデオリファレンスから同期信号を生成するシグナルジェネレータ１５ａ、１３１ａ、１４１ａの代わりに、１つのシグナルジェネレータを用いて、ビデオフォーマット１０８０ｉ／５９．９４に対応するビデオリファレンスから同期信号を生成して、このシグナルジェネレータから生成される同期信号に同期して、それぞれ切換処理部１５、信号処理部１３１、及び、ビデオ信号出力処理部１４１が動作するようにしても良い。
【００４０】
同様にして、スイッチャー１では、同様のビデオリファレンスから同期信号を生成するシグナルジェネレータ１５ｂ、１３２ａ、１４２ａの代わりに、１つのシグナルジェネレータを用いて、ビデオフォーマット７２０ｐ／５０に対応するビデオリファレンスから同期信号を生成して、このシグナルジェネレータから生成される同期信号に同期して、それぞれ切換処理部１５、信号処理部１３２、及び、ビデオ信号出力処理部１４２が動作するようにしても良い。
【００４１】
また、スイッチャー１は、より多数のビデオフォーマットのビデオ信号を扱うこともできる。この場合には、取り扱うビデオフォーマットに対応する種類のビデオリファレンスをビデオリファレンス入力部１１から入力し、複数のシグナルジェネレータにより各ビデオリファレンスから同期信号を生成して、各処理部が所望とする同期信号を選択して動作を行うようにすればよい。
【００４２】
また、同一内容のビデオ信号を異なるビデオフォーマットで放送するサイマル放送用の処理にスイッチャー１を用いる場合には、上述したようにビデオフォーマット毎に設定を行うコントロールパネル１７ａ、１７ｂに代えて、１つのコントロールパネルによって設定を行うことができ、システム規模の削減を図ることができる。
【００４３】
＜第２の実施例＞
次に、図２に示すような、第２の実施例に係るスイッチャー２の構成について説明する。
【００４４】
第２の実施例に係るスイッチャー２は、上述した第１の実施例に係るスイッチャー１と同様に、複数種類のビデオフォーマットの一例として、ビデオフォーマット７２０ｐ／５０と、ビデオフォーマット１０８０ｉ／５９．９４との２種類のビデオフォーマットのビデオ信号に対する切換処理を行うものとする。なお、図２では、点線でビデオフォーマット１０８０ｉ／５９．９４のビデオ信号の流れを示し、破線でビデオフォーマット７２０ｐ／５０のビデオ信号の流れを示している。
【００４５】
すなわち、このような２種類のビデオフォーマットのビデオ信号を取り扱うため、スイッチャー２は、ビデオリファレンス入力部１１と、４つのビデオ信号入力部１２１〜１２４と、２つの信号処理部１３１、１３２と、ビデオ信号出力処理部１４１と、切換処理部１５と、制御部１６と、フォーマットコンバータ２１と、解析部２２を備える。また、スイッチャー２には、２つのコントロールパネル１７ａ、１７ｂが設けられているものとする。なお、スイッチャー２に係る構成のうち、上述した第１の実施例に係るスイッチャー１と同様の構成に関しては、同様の符号を付してその説明を省略するものとする。
【００４６】
スイッチャー２では、フォーマットコンバータ２１が切換処理部１５と接続されているので、切換処理部１５が次のような処理を行う。
【００４７】
すなわち、切換処理部１５は、ビデオ信号入力部１２１〜１２４、及び、信号処理部１３１、１３２、及び後述するフォーマットコンバータ２１からそれぞれビデオ信号が入力され、入力されたビデオ信号を切り換えて、信号処理部１３１、１３２、フォーマットコンバータ２１及び出力処理部１４１に供給する。
【００４８】
フォーマットコンバータ２１は、切換処理部１５を介して一方のビデオフォーマットのビデオ信号を入力して、この入力した一方のビデオフォーマットのビデオ信号を他方のビデオフォーマットのビデオ信号に変換する。
【００４９】
具体的に、フォーマットコンバータ２１は、ビデオリファレンス入力部１１から供給されるビデオリファレンス１０８０ｉ／５９．９４、７２０ｐ／５０からそれぞれ同期信号を生成するシグナルジェネレータ２１１、２１２を有している。フォーマットコンバータ２１は、シグナルジェネレータ２１１、２１２により生成される同期信号とに同期して動作することにより、切換処理部１５から入力されるビデオ信号をフォーマット変換して、変換後のビデオ信号を切換処理部１５に供給する。具体的に、フォーマットコンバータ２１の動作は、制御部１６によって制御される。
【００５０】
次にスイッチャー２の制御部１６に係る処理について説明する。スイッチャー２では、信号処理部１３１、１３２により、それぞれビデオフォーマット１０８０ｉ／５９．９４、７２０ｐ／５０のビデオ信号に対して画像処理を施すものとする。また、スイッチャー２では、フォーマットコンバータ２１により、ビデオフォーマット１０８０ｉ／５９．９４のビデオ信号をビデオフォーマット７２０ｐ／５０のビデオ信号に変換するものとする。そして、スイッチャー２では、ビデオ信号出力処理部１４１によりビデオフォーマット７２０ｐ／５０のビデオ信号を外部に出力するものとする。以上のような処理を具体例として制御部１６が行う処理について説明する。
【００５１】
制御部１６は、ビデオフォーマット１０８０ｉ／５９．９４のビデオ信号に対する入出力を制御するため、ビデオ信号入力部１２１、１２３及び信号処理部１３１から入力されるビデオ信号を、コントロールパネル１７ａによる設定に従って、それぞれ信号処理部１３１、及び、フォーマットコンバータ２１に供給するように、切換処理部１５を制御する。
【００５２】
さらに、制御部１６は、切換処理部１５を介して信号処理部１３１に供給されるビデオ信号のビデオフォーマット１０８０ｉ／５９．９４に対応するビデオリファレンスから同期信号を生成するように、信号処理部１３１が有するシグナルジェネレータ１３１ａを制御する。同様にして、制御部１６は、切換処理部１５を介してフォーマットコンバータ２１に供給されるビデオ信号のビデオフォーマット１０８０ｉ／５９．９４に対応するビデオリファレンスから同期信号を生成するように、フォーマットコンバータ２１が有するシグナルジェネレータ２１１を制御する。
【００５３】
また、制御部１６は、ビデオフォーマット７２０ｐ／５０のビデオ信号に対する入出力を制御するため、ビデオ信号入力部１２２、１２４、信号処理部１３２及びフォーマットコンバータ２１から入力されるビデオ信号を、コントロールパネル１７ｂによる設定に従って、信号処理部１３２及びビデオ信号出力処理部１４１に供給するように切換処理部１５を制御する。
【００５４】
さらに、制御部１６は、切換処理部１５を介して信号処理部１３２に供給されるビデオ信号のビデオフォーマット７２０ｐ／５０に対応するビデオリファレンスから同期信号を生成するように、信号処理部１３２が有するシグナルジェネレータ１３２ａを制御する。同様にして、制御部１６は、切換処理部１５を介してフォーマットコンバータ２１に供給されるビデオ信号のビデオフォーマット７２０ｐ／５０に対応するビデオリファレンスから同期信号を生成するように、フォーマットコンバータ２１が有するシグナルジェネレータ２１２を制御する。同様にして、制御部１６は、切換処理部１５を介してビデオ信号出力処理部１４１に供給されるビデオ信号のビデオフォーマット７２０ｐ／５０に対応するビデオリファレンスから同期信号を生成するように、ビデオ信号出力処理部１４１が有するシグナルジェネレータ１４１ａを制御する。
【００５５】
以上のような構成を有するスイッチャー２は、第１の実施例に係るスイッチャー１と同様に、システム規模の増大を抑えユーザにとって利便性の高い作業環境を提供しつつ、同時に複数のビデオフォーマットで信号処理を施してビデオ信号の入出力を行うことができる。
【００５６】
また、スイッチャー２では、機器内信号として扱うビデオ信号のフォーマットをフォーマットコンバータ２１により変換することができるので、例えば、互いにビデオフォーマットが異なるビデオ信号を各信号処理部１３１、１３２により編集処理を施すことができる。
【００５７】
さらに、スイッチャー２では、外部に別途フォーマットコンバータを接続することなく、互いに異なるビデオフォーマットのビデオ信号同士で編集処理を施して、同時に複数のビデオ信号の入出力を行うことができる。
【００５８】
図２に示したスイッチャー２では、内部に１つのフォーマットコンバータ２１を接続した構成となっているが、より多数のフォーマットコンバータを用いてビデオ信号の切換処理を行うことができる。
【００５９】
ここで、より多数のフォーマットコンバータを用いてスイッチャー内部でビデオ信号のフォーマット変換を行うようにユーザによって設定された接続関係の中には、接続関係の冗長性が高く不要に多数回のフォーマット変換を行うような場合がある。
【００６０】
このような冗長性の高い接続関係を実現した場合は、システムの規模とコストが不要に増大してしまう。また、フォーマット変換処理によってビデオ信号の画質が低下してしまうので、フォーマット変換の回数は、できるだけ減らすことが望ましい。
【００６１】
そこで、スイッチャー２に係る解析部２２は、図３に示すようなフローチャートに従って、切換処理部１５を介してビデオ信号が供給されるフォーマットコンバータＦＣの接続数が２つ以上設定されているとき、これらのフォーマットコンバータＦＣと信号処理部ＰＲＯＣとの接続関係を解析する。そして、解析部２２は、この解析結果から、設定された接続数以下のフォーマットコンバータＦＣを用いて、設定された接続関係と等価な信号処理を行う接続関係を取得する。
【００６２】
ステップＳ１において、解析部２２は、ユーザが設定したフォーマットコンバータＦＣの数Ｎ、すなわち設定した接続数を調べて、ステップＳ２に進む。
【００６３】
ステップＳ２において、解析部２２は、ユーザが設定したフォーマットコンバータＦＣの数Ｎが１以下であるか否かを判断する。ここで、解析部２２は、Ｎが１以下のとき、「ユーザの設定はフォーマットコンバータＦＣの使用数が最少です」との情報をコントロールパネル１７に通知して、本処理工程を終了する。また、解析部２２は、Ｎが１以下ではないとき、すなわち２以上のとき、ステップＳ３に進む。
【００６４】
ステップＳ３において、解析部２２は、１つのビデオ信号に対して処理されるフォーマットコンバータＦＣが２つ連続して配置されている部分があれば、これらのフォーマットコンバータＦＣの接続を削除して、ステップＳ４に進む。
【００６５】
ステップＳ４において、解析部２２は、図４に示すような論理圧縮に従って、フォーマットコンバータＦＣと信号処理部ＰＲＯＣとの配置を前後に変換する処理を行い、ステップＳ５に進む。
【００６６】
ステップＳ４において、解析部２２は、例えば、図４（Ａ）に示すように信号処理部ＰＲＯＣの前段に３つのフォーマットコンバータＦＣ−１〜ＦＣ−３が接続されている場合、この入出力処理系と等価な入出力処理系として図４（Ｂ）に示すように、信号処理部ＰＲＯＣの前段でフォーマットコンバータＦＣ−１〜ＦＣ−３が接続されていない入力部分にフォーマットコンバータＦＣ−４を接続するとともに、信号処理部ＰＲＯＣの後段にフォーマットコンバータＦＣ−５を接続する。このようにして、等価な入出力処理系に変換できるのは、図４（Ａ）と図４（Ｂ）に示される入出力処理系が、それぞれ図４（Ｃ）と図４（Ｄ）に示される正論理回路と、この回路と等価な入出力関係にある負論理回路とに対応しているからである。なお、図４（Ａ）、及び図４（Ｂ）では、点線でビデオフォーマット１０８０ｉ／５９．９４のビデオ信号の流れを示し、破線でビデオフォーマット７２０ｐ／５０のビデオ信号の流れを示している。
【００６７】
このようにして、解析部２２は、信号処理部ＰＲＯＣとフォーマットコンバータＦＣとの接続関係を解析することによって、フォーマットコンバータＦＣの配置を変換することにより、フォーマットコンバータＦＣの数を低減することができる。
【００６８】
ステップＳ５において、解析部２２は、ステップＳ４による配置変換後の接続関係において、１つのビデオ信号に対して処理されるフォーマットコンバータＦＣが２つ連続して配置されている部分があれば、これらのフォーマットコンバータＦＣの接続を削除して、ステップＳ６に進む。
【００６９】
ステップＳ６において、解析部２２は、配置変換後の接続関係におけるフォーマットコンバータＦＣの接続数Ｍを調べて、ステップＳ７に進む。
【００７０】
ステップＳ７において、解析部２２は、配置変換前の接続関係におけるフォーマットコンバータの接続数Ｎが、配置変換後の接続関係におけるフォーマットコンバータＦＣの接続数Ｍ以下であるか否かを判断する。ここで、解析部２２は、ＮがＭ以下であるとき、「ユーザの設定はフォーマットコンバータＦＣの使用数が最少です」との情報をコントロールパネル１７に通知して、本処理工程を終了する。また、解析部２２は、ＮがＭ以下ではないとき、すなわち配置変換によってフォーマットコンバータＦＣの数が低減されたとき、「配置変換後の設定はフォーマットコンバータＦＣの使用数が最少です。」との情報をコントロールパネル１７に通知して、本処理工程を終了する。
【００７１】
解析部２２は、以上のような処理工程を実行することによって、例えば図５（Ａ）に示すようなユーザによって設定された冗長性の高い接続関係を解析して、図５（Ｂ）に示すようなフォーマットコンバータＦＣの数が低減された最適な接続関係を取得することができる。なお、図５（Ａ）、及び図５（Ｂ）では、点線でビデオフォーマット１０８０ｉ／５９．９４のビデオ信号の流れを示し、破線でビデオフォーマット７２０ｐ／５０のビデオ信号の流れを示している。
【００７２】
具体的に、図５（Ａ）では、次のようにして各ビデオ信号が処理される。すなわち、ビデオフォーマット１０８０ｉ／５９．９４のビデオ信号ＩＮ１〜ＩＮ３及びビデオフォーマット７２０ｐ／５０のビデオ信号ＩＮ４は、それぞれビデオ信号入力部ＣＮＩ１〜ＣＮＩ４を介して、切換処理部ＸＰＴに入力される。切換処理部ＸＰＴに入力されたビデオ信号ＩＮ１〜ＩＮ３は、それぞれフォーマットコンバータＦＣ１〜ＦＣ３でビデオフォーマット７２０ｐ／５０のビデオ信号に変換されて、ビデオ信号ＩＮ４とともに信号処理部ＰＲＯＣ−１で信号処理が施される。信号処理部ＰＲＯＣ−１で信号処理が施されたビデオ信号は、ビデオ信号出力処理部ＣＮＯ−１を介してビデオ信号ＯＵＴ１として出力される。また、信号処理部ＰＲＯＣ−１で信号処理が施されたビデオ信号は、フォーマットコンバータＦＣ−４を介して、ビデオフォーマット１０８０ｉ／５９．９４に変換されて、切換処理部ＸＰＴに入力されたビデオ信号ＩＮ３とともに信号処理部ＰＲＯＣ−２で信号処理が施される。信号処理部ＰＲＯＣ−２で信号処理が施されたビデオ信号は、ビデオ信号出力処理部ＣＮＯ−２を介してビデオ信号ＯＵＴ２として出力される。
【００７３】
これに対して、解析部２２によって配置変換された接続関係を示す図５（Ｂ）では、次のようにして各ビデオ信号が処理される。すなわち、ビデオフォーマット１０８０ｉ／５９．９４のビデオ信号ＩＮ１〜ＩＮ３及びビデオフォーマット７２０ｐ／５０のビデオ信号ＩＮ４は、それぞれビデオ信号入力部ＣＮＩ１〜ＣＮＩ４を介して、切換処理部ＸＰＴに入力される。切換処理部ＸＰＴに入力されたビデオ信号ＩＮ４は、フォーマットコンバータＦＣ−２でビデオフォーマット１０８０ｉ／５９．９４のビデオ信号に変換されて、切換処理部ＸＰＴに入力されたビデオ信号ＩＮ１〜ＩＮ３とともに信号処理部ＰＲＯＣ−１で信号処理が施される。信号処理部ＰＲＯＣ−１で信号処理が施されたビデオ信号は、フォーマットコンバータＦＣ−１によりビデオフォーマット７２０ｐ／５０に変換されてビデオ信号ＯＵＴ１として出力される。また、信号処理部ＰＲＯＣ−１で信号処理が施されたビデオ信号は、切換処理部ＸＰＴに入力されたビデオ信号ＩＮ３とともに信号処理部ＰＲＯＣ−２で信号処理が施されて、ビデオ信号出力処理部ＣＮＯ−２からビデオ信号ＯＵＴ２として出力する。
【００７４】
配置変換前の図５（Ａ）に係る接続関係と、配置変換後の図５（Ｂ）に係る接続関係との比較結果から明らかなように、解析部２２は、フォーマットコンバータＦＣの数を２つ削減して、同様の処理を施したビデオ信号ＯＵＴ１、ＯＵＴ２を外部へ出力することができる。
【００７５】
このようにして、解析部２２は、同様の処理を、より少ない数のフォーマットコンバータＦＣを用いて実現するような接続関係を出力する。そして、スイッチャー２では、この解析部２２によって出力された接続関係に従って信号切換処理を行う。このようにすることで、スイッチャー２では、必要最少の数だけのフォーマットコンバータＦＣを用いることによって、回路規模とコストとを削減するとともに、フォーマット変換による画質劣化をできるだけ低減することができる。
【００７６】
以上のような構成からなるスイッチャー２では、解析部２２がよりフォーマットコンバータＦＣの使用数が少ない接続関係を、コントロールパネル１７を介してユーザに提示することができる。
【００７７】
このようにして、コントロールパネル１７に提示された接続関係を視認したユーザによって、配置を変更する設定されてから接続関係を変更するようにしてもよい。また、スイッチャー２の制御部１６は、設定がなくても、解析部２２により解析された接続関係となるように切換処理部１５を制御して接続関係を切り換えるように制御部１６が制御してもよい。
【００７８】
なお、スイッチャー２では、同様のビデオリファレンスから同期信号を生成するシグナルジェネレータを共通化して、各々のビデオリファレンス毎に共通化した複数のシグナルジェネレータから、各処理部の処理対象となるビデオ信号のビデオフォーマットに対応する同期信号を生成するシグナルジェネレータを選択して用いるようにしてもよい。
【００７９】
また、スイッチャー２は、より多数のビデオフォーマットのビデオ信号を扱うこともできる。この場合には、取り扱うビデオフォーマットに対応する種類のビデオリファレンスをビデオリファレンス入力部１１から入力し、複数のシグナルジェネレータにより各ビデオリファレンスから同期信号を生成して、各処理部が所望とする同期信号を選択して動作を行うようにすればよい。
【００８０】
また、同一内容のビデオ信号を異なるビデオフォーマットで放送するサイマル放送用の処理にスイッチャー２を用いる場合には、上述したようにビデオフォーマット毎に設定を行うコントロールパネル１７ａ、１７ｂに代えて、１つのコントロールパネルによって設定を行うことができ、システム規模の削減を図ることができる。
【図面の簡単な説明】
【００８１】
【図１】本発明が適用された信号切換装置である第１の実施例に係るスイッチャーの構成を示すブロック図である。
【図２】本発明が適用された信号切換装置である第２の実施例に係るスイッチャーの構成を示すブロック図である。
【図３】解析部が行う処理工程を説明するために供するフローチャートである。
【図４】解析部で行う配置変換処理を説明するために供する図である。
【図５】配置変換前後の接続関係について説明するための図である。
【符号の説明】
【００８２】
１、２  スイッチャー、１１  ビデオリファレンス入力部、１２１−１２４  ビデオ信号入力部、１３１、１３２  信号処理部、１３１ａ、１３２ａ、１４１ａ、１４２ａ、１５ａ、１５ｂ、２１１、２１２  シグナルジェネレータ、１４１、１４２  ビデオ信号出力処理部、１４１ｂ、１４２ｂ  出力部、１５  切換処理部、１６  制御部、１７、１７ａ、１７ｂ  コントロールパネル、２１  フォーマットコンバータ、２２  解析部
【図１】
0004535159.tif 000002
【図２】
0004535159.tif 000003
【図３】
0004535159.tif 000004
【図４】
0004535159.tif 000005
【図５】
0004535159.tif 000006